(57)【要約】【課題】未使用時はフィルタ本体を保護し、使用時は容易にフィルタ本体を機能させること。【解決手段】ろ材２Ｂを収容する筐体２Ａの２面に通気口２Ａａが形成されたフィルタ本体２と、フィルタ本体２が着脱可能に設置される仕切部３と、気体の流通を防止する閉止部材５の位置を切り替えてフィルタ本体２の各通気口２Ａａを介さず気体を流通させる一方でフィルタ本体２の各通気口２Ａａを介して気体を流通させる切替機構６と、を備える。【選択図】図２
2020189259.tif 000002
【特許請求の範囲】
【請求項１】
ろ材を収容する筐体の２つの面に通気口が形成されたフィルタ本体と、
前記フィルタ本体が着脱可能に設置される仕切部と、
気体の流通を防止する閉止部材の位置を切り替えて前記フィルタ本体の各前記通気口を介さず気体を流通させる一方で前記フィルタ本体の各前記通気口を介して気体を流通させる切替機構と、
を備える、フィルタ装置。
【請求項２】
前記フィルタ本体は、前記通気口が設けられた面が前記仕切部の仕切る面に対して交差するように配置されている、請求項１に記載のフィルタ装置。
【請求項３】
前記仕切部に並設された開口部をさらに備え、前記フィルタ本体は、前記通気口を上下方向に向けて配置され、前記開口部は、前記フィルタ本体の下側に配置されている、請求項２に記載のフィルタ装置。
【請求項４】
前記フィルタ本体は、前記筐体の最大面積をなす面に前記通気口が設けられている、請求項１から３のいずれか１項に記載のフィルタ装置。
【請求項５】
前記切替機構は、前記閉止部材を揺動可能に支持し、前記フィルタ本体の一方の前記通気口を閉塞する第一位置と、前記フィルタ本体の一方の前記通気口を開放し前記筐体の内部に気体を流通させる第二位置とに前記閉止部材の位置を切り替える、請求項１から４のいずれか１項に記載のフィルタ装置。
【請求項６】
前記フィルタ本体の他方の前記通気口を開閉する開閉蓋をさらに備える、請求項５に記載のフィルタ装置。
【請求項７】
前記開閉蓋は、開放されている前記フィルタ本体の一方の前記通気口を覆うことに用いられる、請求項６に記載のフィルタ装置。
【請求項８】
前記仕切部を有し、前記閉止部材と前記切替機構とが取り付けられ前記フィルタ本体が着脱可能に設置されるフレームを有するフィルタユニットを備える、請求項１から７のいずれか１項に記載のフィルタ装置。
【請求項９】
火山灰の微粒子を捕捉するろ材を収容する筐体の２つの面に通気口が形成されたフィルタ本体と、
２つの領域を仕切って設けられ前記フィルタ本体が着脱可能に設置される仕切部と、
前記仕切部に並設された開口部と、
を備え、
前記フィルタ本体は、前記通気口が設けられた面が前記仕切部において２つの前記領域を仕切る面に対して交差するように配置されている、フィルタ装置。
【請求項１０】
前記フィルタ本体は、前記通気口を上下方向に向けて配置され、前記開口部は、前記フィルタ本体の下側に配置されている、請求項９に記載のフィルタ装置。
【請求項１１】
前記フィルタ本体は、前記筐体の最大面積をなす面に前記通気口が設けられている、請求項９または１０に記載のフィルタ装置。
【請求項１２】
ろ材を収容する筐体の２つの面に通気口が形成されたフィルタ本体と、２つの領域を仕切って設けられ前記フィルタ本体が着脱可能に設置される仕切部と、前記仕切部に並設された開口部と、気体の流通を防止する閉止部材と、を備え、前記フィルタ本体は、前記通気口が設けられた面が前記仕切部において２つの前記領域を仕切る面に対して交差するように配置されている、フィルタ装置を用いたフィルタ切替方法であって、
前記閉止部材の位置を切り替えて、前記フィルタ本体の各前記通気口を介さず前記開口部に気体を流通させる第一工程と、前記開口部から前記フィルタ本体の各前記通気口を介して気体を流通させる第二工程と、を含む、フィルタ切替方法。
【請求項１３】
ろ材を収容する筐体の２つの面に通気口が形成されたフィルタ本体と、２つの領域を仕切って設けられ前記フィルタ本体が着脱可能に設置される仕切部と、前記仕切部に並設された開口部と、気体の流通を防止する閉止部材と、を備え、前記フィルタ本体は、前記通気口が設けられた面が前記仕切部において２つの前記領域を仕切る面に対して交差するように配置されている、フィルタ装置を用いたフィルタ交換方法であって、
前記閉止部材の位置を切り替えて、前記フィルタ本体の各前記通気口を介さず前記開口部に気体を流通させる第一工程と、前記開口部から前記フィルタ本体の各前記通気口を介して気体を流通させる第二工程と、を含み、
前記第二工程において、前記フィルタ本体の前記通気口を覆う開閉蓋により各前記通気口を介した気体の流通を塞いだ後、前記フィルタ本体を着脱する、フィルタ交換方法。
【発明の詳細な説明】
【技術分野】
【０００１】
本発明は、フィルタ装置およびフィルタ切替方法並びにフィルタ交換方法に関する。
【背景技術】
【０００２】
特許文献１において、フィルタ装置は、内燃機関の吸気側に取り付けられており、原子力発電所用のディーゼル発電機において、電源喪失した際の安定的な運転を行うために大気中の異物をフィルタ本体で除去する。そして、特許文献１では、火山の噴火による火山灰が吸気に混入する可能性があり、フィルタ本体が火山灰により目詰まりした場合、内燃機関を停止することなしに、容易にフィルタ本体を交換することを目的としている。
【０００３】
このため、特許文献１に記載のフィルタ装置は、内燃機関の吸気に含まれる火山灰を捕捉するフィルタ本体と、フィルタ本体を吸気の流れる方向と交差する交差方向にスライド可能に支持する第一レールと、吸気の流れる方向で第一レールの上流側または下流側に配置され、吸気が通過不能な閉止板を交差方向にスライド可能に支持する第二レールと、複数のフィルタ本体が交差方向に並んで配置されるように第一レールを支持するとともに、複数の閉止板が交差方向に並んで配置されるように第二レールを支持するフレームと、を備える。
【先行技術文献】
【特許文献】
【０００４】
【特許文献１】特開２０１９−０３７９３３号公報
【発明の概要】
【発明が解決しようとする課題】
【０００５】
特許文献１に記載のフィルタ装置は、高濃度の火山灰の降下が予想された場合にフィルタ装置を設置する。このように必要なときにフィルタ装置を設置することは、フィルタ本体の設置領域が広いと設置に多くの時間と労力を費やすことになる。一方、フィルタ本体を常設すると、フィルタ本体を常用することとなり劣化の可能性がある。また、一般的にフィルタ装置は、空気が流れる流路を仕切るようにフィルタ本体が配置されるため、流路の断面積の大きさに基づいて微粒子を捕捉するフィルタ本体の性能が制約を受ける。また、フィルタ本体の交換においては、特許文献１に記載のフィルタ装置では、閉止板を用いてフィルタ本体を介さず吸気が通過することを防いでいるが、作業者は火山灰に晒される場所でフィルタ本体の交換を行うため交換作業が容易ではない。
【０００６】
本発明は、上述した課題を解決するものであり、未使用時はフィルタ本体を保護し、使用時は容易にフィルタ本体を機能させることのできるフィルタ装置およびフィルタ切替方法を提供することを目的とする。また、本発明は、フィルタ本体の交換作業を容易に行うことのできるフィルタ交換方法を提供することを目的とする。
【課題を解決するための手段】
【０００７】
上述の目的を達成するために、本発明の一態様に係るフィルタ装置は、ろ材を収容する筐体の２つの面に通気口が形成されたフィルタ本体と、前記フィルタ本体が着脱可能に設置される仕切部と、気体の流通を防止する閉止部材の位置を切り替えて前記フィルタ本体の各前記通気口を介さず気体を流通させる一方で前記フィルタ本体の各前記通気口を介して気体を流通させる切替機構と、を備える。
【０００８】
本発明の一態様に係るフィルタ装置では、前記フィルタ本体は、前記通気口が設けられた面が前記仕切部の仕切る面に対して交差するように配置されている、ことが好ましい。
【０００９】
本発明の一態様に係るフィルタ装置では、前記仕切部に並設された開口部をさらに備え、前記フィルタ本体は、前記通気口を上下方向に向けて配置され、前記開口部は、前記フィルタ本体の下側に配置されている、ことが好ましい。
【００１０】
本発明の一態様に係るフィルタ装置では、前記フィルタ本体は、前記筐体の最大面積をなす面に前記通気口が設けられている、ことが好ましい。
【００１１】
本発明の一態様に係るフィルタ装置では、前記切替機構は、前記閉止部材を揺動可能に支持し、前記フィルタ本体の一方の前記通気口を閉塞する第一位置と、前記フィルタ本体の一方の前記通気口を開放し前記筐体の内部に気体を流通させる第二位置とに前記閉止部材の位置を切り替える、ことが好ましい。
【００１２】
本発明の一態様に係るフィルタ装置では、前記フィルタ本体の他方の前記通気口を開閉する開閉蓋をさらに備える、ことが好ましい。
【００１３】
本発明の一態様に係るフィルタ装置では、前記開閉蓋は、開放されている前記フィルタ本体の一方の前記通気口を覆うことに用いられる、ことが好ましい。
【００１４】
本発明の一態様に係るフィルタ装置では、前記仕切部を有し、前記閉止部材と前記切替機構とが取り付けられ前記フィルタ本体が着脱可能に設置されるフレームを有するフィルタユニットを備える、ことが好ましい。
【００１５】
上述の目的を達成するために、本発明の一態様に係るフィルタ装置は、火山灰の微粒子を捕捉するろ材を収容する筐体の２つの面に通気口が形成されたフィルタ本体と、２つの領域を仕切って設けられ前記フィルタ本体が着脱可能に設置される仕切部と、前記仕切部に並設された開口部と、を備え、前記フィルタ本体は、前記通気口が設けられた面が前記仕切部において２つの前記領域を仕切る面に対して交差するように配置されている。
【００１６】
本発明の一態様に係るフィルタ装置では、前記フィルタ本体は、前記通気口を上下方向に向けて配置され、前記開口部は、前記フィルタ本体の下側に配置されている、ことが好ましい。
【００１７】
本発明の一態様に係るフィルタ装置では、前記フィルタ本体は、前記筐体の最大面積をなす面に前記通気口が設けられている、ことが好ましい。
【００１８】
上述の目的を達成するために、本発明の一態様に係るフィルタ切替方法は、ろ材を収容する筐体の２つの面に通気口が形成されたフィルタ本体と、２つの領域を仕切って設けられ前記フィルタ本体が着脱可能に設置される仕切部と、前記仕切部に並設された開口部と、気体の流通を防止する閉止部材と、を備え、前記フィルタ本体は、前記通気口が設けられた面が前記仕切部において２つの前記領域を仕切る面に対して交差するように配置されている、フィルタ装置を用いたフィルタ切替方法であって、前記閉止部材の位置を切り替えて、前記フィルタ本体の各前記通気口を介さず前記開口部に気体を流通させる第一工程と、前記開口部から前記フィルタ本体の各前記通気口を介して気体を流通させる第二工程と、を含む。
【００１９】
上述の目的を達成するために、本発明の一態様に係るフィルタ交換方法は、ろ材を収容する筐体の２つの面に通気口が形成されたフィルタ本体と、２つの領域を仕切って設けられ前記フィルタ本体が着脱可能に設置される仕切部と、前記仕切部に並設された開口部と、気体の流通を防止する閉止部材と、を備え、前記フィルタ本体は、前記通気口が設けられた面が前記仕切部において２つの前記領域を仕切る面に対して交差するように配置されている、フィルタ装置を用いたフィルタ交換方法であって、前記閉止部材の位置を切り替えて、前記フィルタ本体の各前記通気口を介さず前記開口部に気体を流通させる第一工程と、前記開口部から前記フィルタ本体の各前記通気口を介して気体を流通させる第二工程と、を含み、前記第二工程において、前記フィルタ本体の前記通気口を覆う開閉蓋により各前記通気口を介した気体の流通を塞いだ後、前記フィルタ本体を着脱する。
【発明の効果】
【００２０】
本発明によれば、気体に含まれる対象の微粒子を捕捉する必要のないときは、閉止部材の配置により開口部にのみ気体を流通させる。一方、気体に含まれる対象の微粒子を捕捉する必要のあるときは、閉止部材の配置により開口部からフィルタ本体の各通気口を介して気体を流通させる。従って、本発明によれば、閉止部材の位置を切り替えるだけで、フィルタ本体の取り付け作業を行うことなく、フィルタ本体を機能させることができる。この結果、本発明によれば、未使用時はフィルタ本体を保護し、使用時は容易にフィルタ本体を機能させることができる。
【図面の簡単な説明】
【００２１】
【図１】図１は、本発明の実施形態に係るフィルタ装置の概略構成図である。
【図２】図２は、本発明の実施形態に係るフィルタ装置のフィルタユニットを示す縦断面図である。
【図３】図３は、本発明の実施形態に係るフィルタ装置のフィルタユニットを示す斜視図である。
【図４】図４は、本発明の実施形態に係るフィルタ装置のフィルタユニットを示す斜視図である。
【図５】図５は、本発明の実施形態に係るフィルタ装置の切替状態を示す概略構成図である。
【図６】図６は、本発明の実施形態に係るフィルタ装置の切替状態を示す縦断面図である。
【図７】図７は、本発明の実施形態に係るフィルタ装置の切替状態を示す斜視図である。
【図８】図８は、本発明の実施形態に係るフィルタ装置の切替状態を示す斜視図である。
【図９】図９は、本発明の実施形態に係るフィルタ装置におけるフィルタ本体の交換状態を示す縦断面図である。
【図１０】図１０は、本発明の実施形態に係るフィルタ装置におけるフィルタ本体の交換状態を示す斜視図である。
【図１１】図１１は、本発明の実施形態に係るフィルタ装置におけるフィルタ本体の交換状態を示す斜視図である。
【図１２】図１２は、本発明の実施形態に係る別の形態のフィルタ装置のフィルタユニットを示す縦断面図である。
【図１３】図１３は、本発明の実施形態に係る別の形態のフィルタ装置の切替状態を示す縦断面図である。
【図１４】図１４は、本発明の実施形態に係る別の形態のフィルタ装置におけるフィルタ本体の交換状態を示す縦断面図である。
【発明を実施するための形態】
【００２２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２３】
［実施形態１］
図１は、本実施形態に係るフィルタ装置の概略構成図である。図２は、本実施形態に係るフィルタ装置のフィルタユニットを示す縦断面図である。図３は、本実施形態に係るフィルタ装置のフィルタユニットを示す斜視図である。図４は、本実施形態に係るフィルタ装置のフィルタユニットを示す斜視図である。図５は、本実施形態に係るフィルタ装置の切替状態を示す概略構成図である。図６は、本実施形態に係るフィルタ装置の切替状態を示す縦断面図である。図７は、本実施形態に係るフィルタ装置の切替状態を示す斜視図である。図８は、本実施形態に係るフィルタ装置の切替状態を示す斜視図である。
【００２４】
図１に示すように、本実施形態のフィルタ装置１は、例えば、天井５１と床５２と両側壁５３とで囲まれた通路に配置される。フィルタ装置１は、フィルタ本体２と、仕切部３と、開口部４と、閉止部材５と、切替機構６と、開閉蓋７と、を備える。
【００２５】
仕切部３は、フィルタ本体２が着脱可能に設置される。仕切部３は、フィルタ本体２を設置する部位にあり、図１に示すように、天井５１と床５２と両側壁５３とで囲まれた通路を、微粒子を含む気体が存在する領域Ｓ１と、フィルタ本体２により微粒子が捕捉された気体が送られる領域Ｓ２とを仕切る板材からなる。なお、仕切部３で仕切られる領域Ｓ２は、天井５１と床５２と両側壁５３とで囲まれた設備の建屋の内部で、領域Ｓ１は、天井５１と床５２と両側壁５３とで囲まれていない建屋の外部であってもよい。なお、図１に示すように、上下に複数設けられた最上位置のフィルタ本体２は、天井５１との間に間隔をおいて設けられており、仕切部３は、この間隔を領域Ｓ１と領域Ｓ２とに仕切るように補助仕切部３’を有している。
【００２６】
開口部４は、仕切部３において、領域Ｓ１と領域Ｓ２とを連通する。開口部４は、仕切部３の板材と並設されている。また、開口部４は、仕切部３に設置されたフィルタ本体２の下側に配置されている。
【００２７】
フィルタ本体２は、図２に示すように、筐体２Ａと、ろ材２Ｂと、を有する。筐体２Ａは、矩形状に形成された箱体であり、本実施形態では、直方体として形成されている。筐体２Ａは、対向する２つの面に通気口２Ａａが形成され、他の面が塞がって形成されている。通気口２Ａａは、筐体２Ａの上面および下面に形成されている。ろ材２Ｂは、筐体２Ａの内部に収容され、各通気口２Ａａを介して筐体２Ａの内部を通過する気体に含まれる微粒子を捕捉する。ろ材２Ｂは、例えば、微粒子である火山灰を捕捉する火山灰フィルタをなすもので、メッシュ状に形成され、各通気口２Ａａが対向する方向に対して交差する方向に沿って配置されている。また、ろ材２Ｂは、各通気口２Ａａが対向する方向に往復する波状部が形成されていることで、平坦に形成されていることと比較して微粒子の捕捉効率が高められている。なお、ろ材２Ｂは、火山灰フィルタ以外に、粗フィルタや、ＨＥＰＡフィルタ（High  Efficiency  Particulate  Air  Filter）や、ＵＬＰＡフィルタ（Ultra  Low  Penetration  Air  Filter）などをなすものがある。また、フィルタ本体２は、直方体として形成された筐体２Ａの最も大きい面積の上面および下面にそれぞれ通気口２Ａａが設けられている。また、フィルタ本体２は、通気口２Ａａが設けられた面が、仕切部３において領域Ｓ１と領域Ｓ２とに仕切る面（仕切部３の板面）に対して交差するように配置されている。フィルタ本体２は、通気口２Ａａを有さない面が仕切部３に向けて配置されている。フィルタ本体２は、通気口２Ａａが開口部４とは開口の向きを異ならせて配置されている。従って、フィルタ本体２は、通気口２Ａａが開口部４と同じ向きにならない横置きに配置されている。このように構成されたフィルタ本体２は、図１および図５に示すように、天井５１と床５２との間で上下に複数設けられている。また、図には明示しないが、フィルタ本体２は、両側壁５３の間に複数設けられていてもよい。
【００２８】
閉止部材５は、気体の流通を防止する。閉止部材５は、板材からなり、フィルタ本体２への気体の流通を防止して開口部４にのみ気体を流通させたり、開口部４のみの気体の流通を防止して開口部４からフィルタ本体２を介して気体を流通させたりする。なお、図１および図２では、閉止部材５は、フィルタ本体２おける下面（一方）の通気口２Ａａを塞いでフィルタ本体２への気体の流通を防止し、矢印Ａで示すように開口部４にのみ気体を流通させる形態を示している。また、図５および図６では、閉止部材５は、フィルタ本体２おける下面の通気口２Ａａを開放して開口部４のみの気体の流通を防止し、矢印Ｂで示すようにフィルタ本体２を介して気体を流通させる形態を示している。
【００２９】
切替機構６は、閉止部材５の位置を切り替える。切替機構６は、閉止部材５の位置を切り替えることで、閉止部材５を、フィルタ本体２への気体の流通を防止して開口部４にのみ気体を流通させる形態にしたり、開口部４のみの気体の流通を防止してフィルタ本体２を介して気体を流通させる形態にしたりする。本実施形態のフィルタ装置１において、切替機構６は、図２および図６に示すように、揺動軸６Ａを有し、揺動軸６Ａの廻りに閉止部材５を揺動させることで、閉止部材５の位置を切り替える。
【００３０】
開閉蓋７は、フィルタ本体２おける上面（他方）の通気口２Ａａを開閉する。開閉蓋７は、板材からなり、通気口２Ａａを覆うことで当該通気口２Ａａを開閉する。また、開閉蓋７は、フィルタ本体２おける下面（一方）の通気口２Ａａも開閉が可能に構成されている。
【００３１】
本実施形態のフィルタ装置１では、上記構成において、フィルタ本体２、仕切部３、開口部４、閉止部材５、切替機構６、および開閉蓋７は、フィルタユニット１０として構成されている。
【００３２】
フィルタユニット１０は、図２から図４、および図６から図８に示すように、フレーム１１を有している。フレーム１１は、両側に矩形状の側板１１Ａを有している。
【００３３】
各側板１１Ａの間に、仕切部３が設けられている。仕切部３は、各側板１１Ａの間を領域Ｓ１と領域Ｓ２とに仕切る。仕切部３は、側板１１Ａの間において、領域Ｓ１側の端であって、略上半部の位置に設けられている。
【００３４】
各側板１１Ａの間に、開口部４が設けられている。開口部４は、仕切部３の下側であって各側板１１Ａの間の略下半部の位置に設けられている。
【００３５】
各側板１１Ａの間に、フィルタ本体２が設けられている。フィルタ本体２は、仕切部３で仕切られる領域Ｓ２側に設けられている。フィルタ本体２は、各側板１１Ａの間に、仕切部３の領域Ｓ２側から挿入され、かつ仕切部３の領域Ｓ２側に抜き出されるように、支持部１１Ｂにより支持されている。フィルタ本体２は、上述したように、直方体として形成された筐体２Ａの最も大きい面積の上面および下面にそれぞれ通気口２Ａａが設けられている。支持部１１Ｂは、下面の通気口２Ａａを開放するように、フィルタ本体２を支持する。また、フィルタ本体２は、通気口２Ａａを有さない面を仕切部３に向けて設置されている。また、フィルタ本体２は、仕切部３とは反対側となる領域Ｓ２側の面に取手２Ｃが設けられている。従って、フィルタ本体２は、取手２Ｃを掴むことで、各側板１１Ａの間に、仕切部３の領域Ｓ２側から挿入され、かつ仕切部３の領域Ｓ２側に抜き出される。
【００３６】
各側板１１Ａの間に、閉止部材５が設けられている。閉止部材５は、図２に示すように、フィルタ本体２の下方の位置で水平に配置される。閉止部材５は、水平に配置された水平状態で、領域Ｓ１側の端が、被覆部１１Ｃに密着する。被覆部１１Ｃは、仕切部３の下端から下方に連続して各側板１１Ａの間にわたって設けられている。水平状態の閉止部材５の領域Ｓ１側の端が被覆部１１Ｃに密着することにより、閉止部材５は、各側板１１Ａの間を仕切部３側と開口部４側とに上下に分け、フィルタ本体２の下方を覆うことで、開口部４側からフィルタ本体２に対する気体の流通を防止する。このため、閉止部材５は、図２に矢印Ａで示すように、各側板１１Ａの間において開口部４を有する下側部分にのみ気体を流通させる。
【００３７】
各側板１１Ａの間に、切替機構６が設けられている。切替機構６は、揺動軸６Ａを有している。揺動軸６Ａは、各側板１１Ａの間において、領域Ｓ２側の端であって、各側板１１Ａの間にわたって水平に配置されている。揺動軸６Ａは、閉止部材５の領域Ｓ２側の端に設けられて、図２に示すように、閉止部材５の領域Ｓ１側の端が被覆部１１Ｃに気密性を有して密着する水平状態と、図５に示すように、閉止部材５の領域Ｓ１側の端が被覆部１１Ｃから離れ、閉止部材５が斜めに配置される傾斜状態と、に閉止部材５の位置を切り替える。切替機構６は、閉止部材５が傾斜状態として斜めに配置された形態を支持するように、傾斜支持部６Ｂを有している。傾斜支持部６Ｂは、貫通孔６Ｂａが設けられており、この貫通孔６Ｂａにより、閉止部材５の水平状態において、図２に矢印Ａで示すように、各側板１１Ａの間で開口部４を有する下側部分にのみ気体を流通させることを許容する。なお、図には明示しないが、切替機構６は、閉止部材５の水平状態を支持する水平支持部を有している。水平支持部は、例えば、閉止部材５の領域Ｓ１側の端を被覆部１１Ｃ側に係止するものであればよく、フックや磁石などが適用できる。
【００３８】
各側板１１Ａの間に、開閉蓋７が設けられている。開閉蓋７は、図１から図４に示すように、フィルタ本体２の上面に沿って水平に配置され、フィルタ本体２の上面の通気口２Ａａを塞ぐ。開閉蓋７は、各側板１１Ａの間に、仕切部３の領域Ｓ２側から挿入され、かつ仕切部３の領域Ｓ２側に抜き出されるように支持される。開閉蓋７は、図３および図４に示すように、仕切部３とは反対側となる領域Ｓ２側の面に取手７Ａが設けられている。従って、開閉蓋７は、取手７Ａを掴むことで、各側板１１Ａの間に、仕切部３の領域Ｓ２側から挿入され、かつ仕切部３の領域Ｓ２側に抜き出される。また、開閉蓋７は、フィルタ本体２の下面に沿って水平に配置されて、フィルタ本体２の下面の通気口２Ａａを塞ぐように、各側板１１Ａの間に、仕切部３の領域Ｓ２側から挿入され、かつ仕切部３の領域Ｓ２側に抜き出されるように支持される。
【００３９】
フィルタユニット１０は、各側板１１Ａの間に、気密機構８を有している。気密機構８は、各側板１１Ａの領域Ｓ２側の端において、フィルタ本体２を支持する支持部１１Ｂと、閉止部材５との間の気密性を保つ。気密機構８は、各側板１１Ａの領域Ｓ２側の端において、支持部１１Ｂの下側に延在して支持部１１Ｂとの間で常に気密性を有して設けられた第一気密板８Ａと、閉止部材５の上側に延在して閉止部材５との間で常に気密性を有して設けられた第二気密板８Ｂと、を有している。第一気密板８Ａは、支持部１１Ｂに対して各側板１１Ａの間にわたって設けられた軸８Ｃの廻りに揺動可能に設けられている。また、第一気密板８Ａは、その揺動に際して第二気密板８Ｂに気密性を有して密着する。このため、気密機構８は、各側板１１Ａの領域Ｓ２側の端において、支持部１１Ｂと閉止部材５との間の気密性を保つことができる。
【００４０】
このフィルタユニット１０は、フレーム１１が、天井５１や、床５２や、側壁５３などに対し、領域Ｓ１と領域Ｓ２との間で、着脱可能に設けられている。
【００４１】
なお、フィルタユニット１０は、それぞれ１つのフィルタ本体２がフレーム１１に設けられている構成に限らず、複数のフィルタ本体２がフレーム１１に設けられている構成であってもよい。
【００４２】
このように構成されたフィルタ装置１は、例えば、領域Ｓ１の気体に対象とする微粒子が存在しない通常時において、図１から図４に示すように、閉止部材５が水平状態にあってフィルタ本体２の下方を覆う。このため、通常時において、フィルタ装置１は、開口部４側からフィルタ本体２に対する気体の流通を防止し、図１および図２に矢印Ａで示すように、領域Ｓ１から領域Ｓ２に至りフィルタ本体２の各通気口２Ａａを介さず開口部４にのみ気体を流通させることを許容する。また、開閉蓋７がフィルタ本体２の上面の通気口２Ａａを塞ぐ。従って、通常時において、フィルタ装置１は、フィルタ本体２の上面の通気口２Ａａから気体中の塵や埃が侵入することを防止する。また、開閉蓋７は、フィルタ本体２（フィルタユニット１０）を上下に複数配置した場合、上面の通気口２Ａａを塞ぐことで、上側に配置したフィルタ本体２（フィルタユニット１０）との間で開口部４にのみ気体を流通させる。
【００４３】
一方、例えば、火山の噴火などにより、領域Ｓ１の気体に対象とする微粒子（例えば、火山灰）が存在する異常時において、図５から図８に示すように、開閉蓋７を取り外してフィルタ本体２の上面の通気口２Ａａを開放する。また、切替機構６により閉止部材５を傾斜状態にする。このため、異常時において、フィルタ装置１は、傾斜状態の閉止部材５により、開口部４を有する下側部分にのみ気体を流通させることを防止し、図５および図６に矢印Ｂで示すように、領域Ｓ１から領域Ｓ２に至りフィルタ本体２を介して気体を流通させることを許容する。この場合、フィルタ本体２は、下面の通気口２Ａａから上面の通気口２Ａａに気体が通過する。従って、異常時において、フィルタ装置１は、フィルタ本体２により気体に存在する微粒子を捕捉できる。
【００４４】
以下、上述したフィルタ装置１におけるフィルタ本体２の交換について説明する。
【００４５】
図９は、本実施形態に係るフィルタ装置におけるフィルタ本体の交換状態を示す縦断面図である。図１０は、本実施形態に係るフィルタ装置におけるフィルタ本体の交換状態を示す斜視図である。図１１は、本実施形態に係るフィルタ装置におけるフィルタ本体の交換状態を示す斜視図である。
【００４６】
フィルタ本体２を交換する場合、フィルタ装置１は、図９および図１０に示すように、開閉蓋７をフィルタ本体２の下面に沿って水平に配置し、フィルタ本体２の下面の通気口２Ａａを塞ぐ。ここで、開閉蓋７は、気密機構８において、閉止部材５との間で常に気密性を有して設けられた第二気密板８Ｂに密着する。このため、フィルタ装置１は、傾斜状態の閉止部材５により、開口部４を有する下側部分にのみ気体を流通させることを防止し、かつ開閉蓋７によりフィルタ本体２を介して気体を流通させることも防止する。即ち、フィルタ装置１は、領域Ｓ１から領域Ｓ２に気体が通過することを防止する。この状態で、図９および図１１に示すように、フィルタ本体２の取手２Ｃを掴み、領域Ｓ２側に抜き出す。その後、新たなフィルタ本体２を領域Ｓ２側から挿入し、開閉蓋７を取り外して、図５および図６の状態に戻す。このように、フィルタ装置１は、フィルタ本体２を交換する場合、領域Ｓ１から領域Ｓ２に気体が通過することを防止し、この状態で領域Ｓ２側からフィルタ本体２の交換を行うようにしている。
【００４７】
このように、本実施形態のフィルタ装置１は、ろ材２Ｂを収容する筐体２Ａの２面に通気口２Ａａが形成されたフィルタ本体２と、フィルタ本体２が着脱可能に設置される仕切部３と、気体の流通を防止する閉止部材５の位置を切り替えてフィルタ本体２の各通気口２Ａａを介さず気体を流通させる一方でフィルタ本体２の各通気口２Ａａを介して気体を流通させる切替機構６と、を備える。
【００４８】
本実施形態のフィルタ装置１によれば、気体に含まれる対象の微粒子を捕捉する必要のないときは、閉止部材５の配置によりフィルタ本体２の各通気口２Ａａを介さず気体を流通させる。一方、気体に含まれる対象の微粒子を捕捉する必要のあるときは、閉止部材５の配置によりフィルタ本体２の各通気口２Ａａを介して気体を流通させる。従って、本実施形態のフィルタ装置１によれば、閉止部材５の位置を切り替えるだけで、フィルタ本体２の取り付け作業を行うことなく、フィルタ本体２を機能させることができる。この結果、本実施形態のフィルタ装置１によれば、未使用時はフィルタ本体２を保護し、使用時は容易にフィルタ本体２を機能させることができる。
【００４９】
また、本実施形態のフィルタ装置１では、フィルタ本体２は、通気口２Ａａが設けられた面が仕切部３において２つの領域Ｓ１，Ｓ２を仕切る面に対して交差するように横置きに配置されている。
【００５０】
本実施形態のフィルタ装置１によれば、フィルタ本体２が、領域Ｓ１，Ｓ２を仕切る面に対して通気口２Ａａを有する面を交差するように横置きに配置されているため、仕切部３に並設される開口部４の開口面積に制約を受けることなく、通気口２Ａａの開口面積を大きく取ることができる。この結果、本実施形態のフィルタ装置１によれば、フィルタ本体２を通過する気体の風速を抑えることができ、フィルタ本体２の機能をより向上できる。
【００５１】
また、本実施形態のフィルタ装置１では、フィルタ本体２は、通気口２Ａａを上下方向に向けて配置され、開口部４は、フィルタ本体２の下側に配置されている。
【００５２】
本実施形態のフィルタ装置１によれば、開口部４を介してフィルタ本体２を通過する気体が、下側から上側にフィルタ本体２を通過する。この結果、本実施形態のフィルタ装置１によれば、フィルタ本体２のろ材２Ｂの目詰まりを抑制でき、フィルタ本体２の機能をより長く継続できる。
【００５３】
また、本実施形態のフィルタ装置１では、フィルタ本体２は、筐体２Ａの最大面積をなす面に通気口２Ａａが設けられている。
【００５４】
本実施形態のフィルタ装置１によれば、通気口２Ａａの開口面積を大きく取ることができる。この結果、本実施形態のフィルタ装置１によれば、フィルタ本体２を通過する気体の風速を抑えることができ、フィルタ本体２の機能をより向上できる。
【００５５】
また、本実施形態のフィルタ装置１では、切替機構６は、閉止部材５を揺動可能に支持し、フィルタ本体２の一方の通気口２Ａａを閉塞して開口部４にのみ気体を流通させる第一位置と、フィルタ本体２の一方の通気口２Ａａを開放し開口部４から筐体２Ａの内部に気体を流通させる第二位置とに閉止部材５の位置を切り替える。
【００５６】
本実施形態のフィルタ装置１によれば、切替機構６により閉止部材５の位置を揺動させて変えることで、開口部４のみの気体の流通と、開口部４からフィルタ本体２への気体の流通とに容易に切り替えることができる。
【００５７】
また、本実施形態のフィルタ装置１では、フィルタ本体２の他方の通気口２Ａａを開閉する開閉蓋７をさらに備える。
【００５８】
本実施形態のフィルタ装置１によれば、閉止部材５を第一位置としてフィルタ本体２の一方の通気口を閉塞している場合に、開閉蓋７によりフィルタ本体２の他方の通気口２Ａａを閉じることで、フィルタ本体２への気体の流通を防ぐ。また、閉止部材５を第二位置としてフィルタ本体２の一方の通気口２Ａａを開放したときに、開閉蓋７を外してフィルタ本体２の他方の通気口２Ａａを開放することで、フィルタ本体２への気体の流通を許容する。この結果、本実施形態のフィルタ装置１によれば、未使用時はフィルタ本体２を保護し、使用時は容易にフィルタ本体２を機能させることができる。
【００５９】
また、本実施形態のフィルタ装置１では、開閉蓋７は、開放されているフィルタ本体２の一方の通気口２Ａａを覆うことに用いられる。
【００６０】
本実施形態のフィルタ装置１によれば、開放されているフィルタ本体２の一方の通気口２Ａａを覆うことで、フィルタ本体２への気体の流通を防ぎ、フィルタ本体２を交換できる。この結果、本実施形態のフィルタ装置１によれば、フィルタ本体２の交換に開閉蓋７を流用できる。
【００６１】
また、本実施形態のフィルタ装置１では、開口部４および仕切部３を有し、閉止部材５と切替機構６とが取り付けられフィルタ本体２が着脱可能に設置されるフレーム１１を有するフィルタユニット１０を備える。
【００６２】
本実施形態のフィルタ装置１によれば、フィルタユニット１０を備えることで、フィルタユニット１０単位での設置や交換が可能となり、フィルタ装置１の施工を容易に行うことができる。
【００６３】
ところで、上述したフィルタ装置１では、火山灰の微粒子を捕捉するろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、を備え、フィルタ本体２は、通気口２Ａａが設けられた面が仕切部３において２つの領域Ｓ１，Ｓ２を仕切る面に対して交差するように横置きに配置されている。
【００６４】
本実施形態のフィルタ装置１によれば、火山灰を捕捉するフィルタ本体２が、領域Ｓ１，Ｓ２を仕切る面に対して通気口２Ａａを有する面を交差するように横置きに配置されているため、仕切部３に並設される開口部４の開口面積に制約を受けることなく、通気口２Ａａの開口面積を大きく取ることができる。この結果、本実施形態のフィルタ装置１によれば、フィルタ本体２を通過する気体の風速を抑えることができ、フィルタ本体２の火山灰を捕捉する機能をより向上できる。
【００６５】
また、本実施形態のフィルタ装置１では、火山灰を捕捉するフィルタ本体２は、通気口２Ａａを上下方向に向けて配置され、開口部４は、フィルタ本体２の下側に配置されている。
【００６６】
本実施形態のフィルタ装置１によれば、開口部４を介してフィルタ本体２を通過する気体が、下側から上側にフィルタ本体２を通過する。この結果、本実施形態のフィルタ装置１によれば、フィルタ本体２のろ材２Ｂの火山灰の目詰まりを抑制でき、フィルタ本体２の機能をより長く継続できる。
【００６７】
また、本実施形態のフィルタ装置１では、火山灰を捕捉するフィルタ本体２は、筐体２Ａの最大面積をなす面に通気口２Ａａが設けられている。
【００６８】
本実施形態のフィルタ装置１によれば、通気口２Ａａの開口面積を大きく取ることができる。この結果、本実施形態のフィルタ装置１によれば、フィルタ本体２を通過する気体の風速を抑えることができ、フィルタ本体２の火山灰を捕捉する機能をより向上できる。
【００６９】
また、本実施形態のフィルタ切替方法は、ろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、気体の流通を防止する閉止部材５と、を備え、フィルタ本体２は、通気口２Ａａが設けられた面が仕切部３において２つの領域Ｓ１，Ｓ２を仕切る面に対して交差するように横置きに配置されているフィルタ装置１を用い、閉止部材５の位置を切り替えて、フィルタ本体２の各通気口２Ａａを介さず開口部４に気体を流通させる第一工程と、開口部４からフィルタ本体２の各通気口２Ａａを介して気体を流通させる第二工程と、を含む。
【００７０】
本実施形態のフィルタ切替方法によれば、気体に含まれる対象の微粒子を捕捉する必要のないときは、閉止部材５の配置により開口部４にのみ気体を流通させる。一方、気体に含まれる対象の微粒子を捕捉する必要のあるときは、閉止部材５の配置により開口部４からフィルタ本体２の各通気口２Ａａを介して気体を流通させる。従って、本実施形態のフィルタ切替方法によれば、閉止部材５の位置を切り替えるだけで、フィルタ本体２の取り付け作業を行うことなく、フィルタ本体２を機能させることができる。この結果、本実施形態のフィルタ切替方法によれば、未使用時はフィルタ本体２を保護し、使用時は容易にフィルタ本体２を機能させることができる。
【００７１】
また、本実施形態のフィルタ交換方法は、ろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、気体の流通を防止する閉止部材５と、を備え、フィルタ本体２は、通気口２Ａａが設けられた面が仕切部３において２つの領域Ｓ１，Ｓ２を仕切る面に対して交差するように横置きに配置されているフィルタ装置１を用い、閉止部材５の位置を切り替えて、フィルタ本体２の各通気口２Ａａを介さず開口部４に気体を流通させる第一工程と、開口部４からフィルタ本体２の各通気口２Ａａを介して気体を流通させる第二工程と、を含み、第二工程において、フィルタ本体２の通気口２Ａａを覆う開閉蓋７により各通気口２Ａａを介した気体の流通を塞いだ後、フィルタ本体２を着脱する。
【００７２】
本実施形態のフィルタ交換方法によれば、フィルタ本体２の通気口２Ａａを塞ぐことで、フィルタ本体２への気体の流通を防ぎ、フィルタ本体２を交換できる。この結果、本実施形態のフィルタ交換方法によれば、閉止部材５の位置を切り替えることなく、かつ領域Ｓ１，Ｓ２間の気体の流通を防止してフィルタ本体２を交換できる。
【００７３】
［実施形態２］
以下、別の形態のフィルタ装置１０１について説明する。
【００７４】
図１２は、本実施形態に係る別の形態のフィルタ装置のフィルタユニットを示す縦断面図である。図１３は、本実施形態に係る別の形態のフィルタ装置の切替状態を示す縦断面図である。
【００７５】
以下に説明するフィルタ装置１０１のフィルタユニット１１０において、上述したフィルタ装置１のフィルタユニット１０と同等部分には、同一の符号を付して説明を省略する。
【００７６】
フィルタ装置１０１は、例えば、図１で示した天井５１と床５２と両側壁５３とで囲まれた通路に配置される。フィルタ装置１０１は、フィルタ本体２と、仕切部３と、開口部４と、閉止部材１０５と、切替機構１０６と、開閉蓋７と、を備える。
【００７７】
閉止部材１０５は、気体の流通を防止する。閉止部材１０５は、板材からなり、フィルタ本体２への気体の流通を防止して開口部４にのみ気体を流通させたり、開口部４のみの気体の流通を防止して開口部４からフィルタ本体２を介して気体を流通させたりする。フィルタ装置１０１（フィルタユニット１１０）では、図１２に示すように、閉止部材１０５は、下側に配置された図示しないフィルタ本体２の上面（一方）の通気口２Ａａを塞いでフィルタ本体２への気体の流通を防止する。このとき、図１２に示すように、開閉蓋７がフィルタ本体２の下面（他方）の通気口２Ａａを塞ぐ。このため、矢印Ｃで示すように、開口部４にのみ気体を流通させる。また、フィルタ装置１０１（フィルタユニット１１０）では、図１３に示すように、閉止部材１０５は、下側に配置された図示しないフィルタ本体２の上面（一方）の通気口２Ａａを開放して開口部４のみの気体の流通を防止する。このとき、図１３に示すように、開閉蓋７が取り外されてフィルタ本体２の下面（他方）の通気口２Ａａが開放される。このため、矢印Ｄで示すように、開口部４からフィルタ本体２を介して気体を流通させる。
【００７８】
フィルタユニット１１０において、閉止部材１０５は、各側板１１Ａの間に設けられている。閉止部材１０５は、図１２に示すように、各側板１１Ａの下端の位置で水平に配置される。閉止部材１０５は、水平に配置された水平状態で、領域Ｓ１側の端が、被覆部１１Ｄに密着する。被覆部１１Ｄは、各側板１１Ａの下端の位置で各側板１１Ａの間にわたって設けられている。水平状態の閉止部材１０５の領域Ｓ１側の端が被覆部１１Ｄに密着することにより、閉止部材１０５は、各側板１１Ａの間の下端を塞ぎ、下側に配置された図示しないフィルタ本体２の上面（一方）の通気口２Ａａを覆うことと、開閉蓋７を配置したことで、開口部４側からフィルタ本体２に対する気体の流通を防止する。このため、閉止部材１０５は、図１２に矢印Ｃで示すように、各側板１１Ａの間において開口部４を有する下側部分にのみ気体を流通させる。
【００７９】
切替機構１０６は、閉止部材１０５の位置を切り替える。切替機構１０６は、閉止部材１０５の位置を切り替えることで、閉止部材１０５を、フィルタ本体２への気体の流通を防止して開口部４にのみ気体を流通させる形態にしたり、開口部４のみの気体の流通を防止してフィルタ本体２を介して気体を流通させる形態にしたりする。本実施形態のフィルタ装置１０１において、切替機構１０６は、図１２および図１３に示すように、揺動軸１０６Ａを有し、揺動軸１０６Ａの廻りに閉止部材１０５を揺動させることで、閉止部材１０５の位置を切り替える。
【００８０】
フィルタユニット１１０において、切替機構１０６は、各側板１１Ａの間に設けられている。切替機構１０６は、揺動軸１０６Ａを有している。揺動軸１０６Ａは、各側板１１Ａの間において、領域Ｓ１側の下端であって、各側板１１Ａの間にわたって水平に配置されている。揺動軸１０６Ａは、閉止部材１０５の領域Ｓ１側の端に設けられて、図１２に示すように、閉止部材１０５の水平状態と、図１３に示すように、閉止部材１０５の領域Ｓ２側の端が気密機構８の第二気密板８Ｂに密着して閉止部材１０５が斜めに配置される傾斜状態と、に閉止部材１０５の位置を切り替える。なお、図には明示しないが、切替機構１０６は、閉止部材１０５の水平状態および傾斜状態を支持する水平支持部および傾斜支持部を有している。水平支持部および傾斜支持部は、例えば、閉止部材１０５の領域Ｓ２側の端を係止するものであればよく、フックや磁石などが適用できる。
【００８１】
このフィルタユニット１１０は、フレーム１１が、天井５１や、床５２や、側壁５３などに対し、領域Ｓ１と領域Ｓ２との間で、着脱可能に設けられている。
【００８２】
なお、フィルタユニット１１０は、それぞれ１つのフィルタ本体２がフレーム１１に設けられている構成に限らず、複数のフィルタ本体２がフレーム１１に設けられている構成であってもよい。
【００８３】
このように構成されたフィルタ装置１０１は、例えば、領域Ｓ１の気体に対象とする微粒子が存在しない通常時において、図１２に示すように、閉止部材１０５が水平状態にあって下側に配置されたフィルタ本体２の上方を覆い、かつ開閉蓋７がフィルタ本体２の下方を覆う。このため、通常時において、フィルタ装置１０１は、開口部４側からフィルタ本体２に対する気体の流通を防止し、図１２に矢印Ｃで示すように、領域Ｓ１から領域Ｓ２に至りフィルタ本体２の各通気口２Ａａを介さず開口部４にのみ気体を流通させることを許容する。従って、通常時において、フィルタ装置１０１は、フィルタ本体２の上面の通気口２Ａａから気体中の塵や埃が侵入することを防止する。
【００８４】
一方、例えば、火山の噴火などにより、領域Ｓ１の気体に対象とする微粒子（例えば、火山灰）が存在する異常時において、図１３に示すように、開閉蓋７を取り外してフィルタ本体２の下面の通気口２Ａａを開放する。また、切替機構１０６により閉止部材１０５を傾斜状態にする。このため、異常時において、フィルタ装置１０１は、傾斜状態の閉止部材１０５により、開口部４を有する下側部分にのみ気体を流通させることを防止し、図３に矢印Ｄで示すように、領域Ｓ１から領域Ｓ２に至りフィルタ本体２を介して気体を流通させることを許容する。この場合、フィルタ本体２は、下面の通気口２Ａａから上面の通気口２Ａａに気体が通過する。従って、異常時において、フィルタ装置１０１は、フィルタ本体２により気体に存在する微粒子を捕捉できる。
【００８５】
以下、上述したフィルタ装置１０１におけるフィルタ本体２の交換について説明する。
【００８６】
図１４は、本実施形態に係る別の形態のフィルタ装置におけるフィルタ本体の交換状態を示す縦断面図である。
【００８７】
フィルタ本体２を交換する場合、フィルタ装置１０１は、図１４に示すように、開閉蓋７をフィルタ本体２の下面に沿って水平に配置し、フィルタ本体２の下面の通気口２Ａａを塞ぐ。ここで、開閉蓋７は、気密機構８において、閉止部材１０５との間で常に気密性を有して設けられた第二気密板８Ｂに密着する。このため、フィルタ装置１０１は、傾斜状態の閉止部材１０５により、開口部４を有する下側部分にのみ気体を流通させることを防止し、かつ開閉蓋７によりフィルタ本体２を介して気体を流通させることも防止する。即ち、フィルタ装置１０１は、領域Ｓ１から領域Ｓ２に気体が通過することを防止する。この状態で、フィルタ本体２の取手２Ｃを掴み、領域Ｓ２側に抜き出す。その後、新たなフィルタ本体２を領域Ｓ２側から挿入し、開閉蓋７を取り外して、図１３の状態に戻す。このように、フィルタ装置１０１は、フィルタ本体２を交換する場合、領域Ｓ１から領域Ｓ２に気体が通過することを防止し、この状態で領域Ｓ２側からフィルタ本体２の交換を行うようにしている。
【００８８】
このように、本実施形態のフィルタ装置１０１は、ろ材２Ｂを収容する筐体２Ａの２面に通気口２Ａａが形成されたフィルタ本体２と、フィルタ本体２が着脱可能に設置される仕切部３と、気体の流通を防止する閉止部材１０５の位置を切り替えてフィルタ本体２の各通気口２Ａａを介さず気体を流通させる一方でフィルタ本体２の各通気口２Ａａを介して気体を流通させる切替機構１０６と、を備える。
【００８９】
本実施形態のフィルタ装置１０１によれば、気体に含まれる対象の微粒子を捕捉する必要のないときは、閉止部材１０５の配置によりフィルタ本体２の各通気口２Ａａを介さず気体を流通させる。一方、気体に含まれる対象の微粒子を捕捉する必要のあるときは、閉止部材１０５の配置によりフィルタ本体２の各通気口２Ａａを介して気体を流通させる。従って、本実施形態のフィルタ装置１０１によれば、閉止部材１０５の位置を切り替えるだけで、フィルタ本体２の取り付け作業を行うことなく、フィルタ本体２を機能させることができる。この結果、本実施形態のフィルタ装置１０１によれば、未使用時はフィルタ本体２を保護し、使用時は容易にフィルタ本体２を機能させることができる。
【００９０】
また、本実施形態のフィルタ装置１０１では、フィルタ本体２は、通気口２Ａａが設けられた面が仕切部３において２つの領域Ｓ１，Ｓ２を仕切る面に対して交差するように横置きに配置されている。
【００９１】
本実施形態のフィルタ装置１０１によれば、フィルタ本体２が、領域Ｓ１，Ｓ２を仕切る面に対して通気口２Ａａを有する面を交差するように横置きに配置されているため、仕切部３に並設される開口部４の開口面積に制約を受けることなく、通気口２Ａａの開口面積を大きく取ることができる。この結果、本実施形態のフィルタ装置１０１によれば、フィルタ本体２を通過する気体の風速を抑えることができ、フィルタ本体２の機能をより向上できる。
【００９２】
また、本実施形態のフィルタ装置１０１では、フィルタ本体２は、通気口２Ａａを上下方向に向けて配置され、開口部４は、フィルタ本体２の下側に配置されている。
【００９３】
本実施形態のフィルタ装置１０１によれば、開口部４を介してフィルタ本体２を通過する気体が、下側から上側にフィルタ本体２を通過する。この結果、本実施形態のフィルタ装置１０１によれば、フィルタ本体２のろ材２Ｂの目詰まりを抑制でき、フィルタ本体２の機能をより長く継続できる。
【００９４】
また、本実施形態のフィルタ装置１０１では、フィルタ本体２は、筐体２Ａの最大面積をなす面に通気口２Ａａが設けられている。
【００９５】
本実施形態のフィルタ装置１０１によれば、通気口２Ａａの開口面積を大きく取ることができる。この結果、本実施形態のフィルタ装置１０１によれば、フィルタ本体２を通過する気体の風速を抑えることができ、フィルタ本体２の機能をより向上できる。
【００９６】
また、本実施形態のフィルタ装置１０１では、切替機構１０６は、閉止部材１０５を揺動可能に支持し、フィルタ本体２の一方の通気口２Ａａを閉塞して開口部４にのみ気体を流通させる第一位置と、フィルタ本体２の一方の通気口２Ａａを開放し開口部４から筐体２Ａの内部に気体を流通させる第二位置とに閉止部材１０５の位置を切り替える。
【００９７】
本実施形態のフィルタ装置１０１によれば、切替機構１０６により閉止部材１０５の位置を揺動させて変えることで、開口部４のみの気体の流通と、開口部４からフィルタ本体２への気体の流通とに容易に切り替えることができる。
【００９８】
また、本実施形態のフィルタ装置１０１では、フィルタ本体２の他方の通気口２Ａａを開閉する開閉蓋７をさらに備える。
【００９９】
本実施形態のフィルタ装置１０１によれば、閉止部材１０５を第一位置としてフィルタ本体２の一方の通気口を閉塞している場合に、開閉蓋７によりフィルタ本体２の他方の通気口２Ａａを閉じることで、フィルタ本体２への気体の流通を防ぐ。また、閉止部材１０５を第二位置としてフィルタ本体２の一方の通気口２Ａａを開放したときに、開閉蓋７を外してフィルタ本体２の他方の通気口２Ａａを開放することで、フィルタ本体２への気体の流通を許容する。この結果、本実施形態のフィルタ装置１０１によれば、未使用時はフィルタ本体２を保護し、使用時は容易にフィルタ本体２を機能させることができる。
【０１００】
また、本実施形態のフィルタ装置１０１では、開口部４および仕切部３を有し、閉止部材１０５と切替機構１０６とが取り付けられフィルタ本体２が着脱可能に設置されるフレーム１１を有するフィルタユニット１１０を備える。
【０１０１】
本実施形態のフィルタ装置１０１によれば、フィルタユニット１１０を備えることで、フィルタユニット１１０単位での設置や交換が可能となり、フィルタ装置１０１の施工を容易に行うことができる。
【０１０２】
ところで、上述したフィルタ装置１０１では、火山灰の微粒子を捕捉するろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、を備え、フィルタ本体２は、通気口２Ａａが設けられた面が仕切部３において２つの領域Ｓ１，Ｓ２を仕切る面に対して交差するように横置きに配置されている。
【０１０３】
本実施形態のフィルタ装置１０１によれば、火山灰を捕捉するフィルタ本体２が、領域Ｓ１，Ｓ２を仕切る面に対して通気口２Ａａを有する面を交差するように横置きに配置されているため、仕切部３に並設される開口部４の開口面積に制約を受けることなく、通気口２Ａａの開口面積を大きく取ることができる。この結果、本実施形態のフィルタ装置１０１によれば、フィルタ本体２を通過する気体の風速を抑えることができ、フィルタ本体２の火山灰を捕捉する機能をより向上できる。
【０１０４】
また、本実施形態のフィルタ装置１０１では、火山灰を捕捉するフィルタ本体２は、通気口２Ａａを上下方向に向けて配置され、開口部４は、フィルタ本体２の下側に配置されている。
【０１０５】
本実施形態のフィルタ装置１０１によれば、開口部４を介してフィルタ本体２を通過する気体が、下側から上側にフィルタ本体２を通過する。この結果、本実施形態のフィルタ装置１０１によれば、フィルタ本体２のろ材２Ｂの火山灰の目詰まりを抑制でき、フィルタ本体２の機能をより長く継続できる。
【０１０６】
また、本実施形態のフィルタ装置１０１では、火山灰を捕捉するフィルタ本体２は、筐体２Ａの最大面積をなす面に通気口２Ａａが設けられている。
【０１０７】
本実施形態のフィルタ装置１０１によれば、通気口２Ａａの開口面積を大きく取ることができる。この結果、本実施形態のフィルタ装置１０１によれば、フィルタ本体２を通過する気体の風速を抑えることができ、フィルタ本体２の火山灰を捕捉する機能をより向上できる。
【０１０８】
また、本実施形態のフィルタ切替方法は、ろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、気体の流通を防止する閉止部材１０５と、を備え、フィルタ本体２は、通気口２Ａａが設けられた面が仕切部３において２つの領域Ｓ１，Ｓ２を仕切る面に対して交差するように横置きに配置されているフィルタ装置１０１を用い、閉止部材１０５の位置を切り替えて、フィルタ本体２の各通気口２Ａａを介さず開口部４に気体を流通させる第一工程と、開口部４からフィルタ本体２の各通気口２Ａａを介して気体を流通させる第二工程と、を含む。
【０１０９】
本実施形態のフィルタ切替方法によれば、気体に含まれる対象の微粒子を捕捉する必要のないときは、閉止部材１０５の配置により開口部４にのみ気体を流通させる。一方、気体に含まれる対象の微粒子を捕捉する必要のあるときは、閉止部材１０５の配置により開口部４からフィルタ本体２の各通気口２Ａａを介して気体を流通させる。従って、本実施形態のフィルタ切替方法によれば、閉止部材１０５の位置を切り替えるだけで、フィルタ本体２の取り付け作業を行うことなく、フィルタ本体２を機能させることができる。この結果、本実施形態のフィルタ切替方法によれば、未使用時はフィルタ本体２を保護し、使用時は容易にフィルタ本体２を機能させることができる。
【０１１０】
また、本実施形態のフィルタ交換方法は、ろ材２Ｂを収容する筐体２Ａの２つの面に通気口２Ａａが形成されたフィルタ本体２と、２つの領域Ｓ１，Ｓ２を仕切って設けられフィルタ本体２が着脱可能に設置される仕切部３と、仕切部３に並設された開口部４と、気体の流通を防止する閉止部材１０５と、を備え、フィルタ本体２は、通気口２Ａａが設けられた面が仕切部３において２つの領域Ｓ１，Ｓ２を仕切る面に対して交差するように横置きに配置されているフィルタ装置１０１を用い、閉止部材１０５の位置を切り替えて、フィルタ本体２の各通気口２Ａａを介さず開口部４に気体を流通させる第一工程と、開口部４からフィルタ本体２の各通気口２Ａａを介して気体を流通させる第二工程と、を含み、第二工程において、フィルタ本体２の通気口２Ａａを覆う開閉蓋７により各通気口２Ａａを介した気体の流通を塞いだ後、フィルタ本体２を着脱する。
【０１１１】
本実施形態のフィルタ交換方法によれば、フィルタ本体２の通気口２Ａａを塞ぐことで、フィルタ本体２への気体の流通を防ぎ、フィルタ本体２を交換できる。この結果、本実施形態のフィルタ交換方法によれば、閉止部材１０５の位置を切り替えることなく、かつ領域Ｓ１，Ｓ２間の気体の流通を防止してフィルタ本体２を交換できる。
【符号の説明】
【０１１２】
１，１０１  フィルタ装置
２  フィルタ本体
２Ａ  筐体
２Ａａ  通気口
２Ｂ  ろ材
３  仕切部
４  開口部
５，１０５  閉止部材
６，１０６  切替機構
６Ａ，１０６Ａ  揺動軸
７  開閉蓋
１０，１１０  フィルタユニット
１１  フレーム
Ｓ１，Ｓ２  領域
【図１】
2020189259.tif 000003
【図２】
2020189259.tif 000004
【図３】
2020189259.tif 000005
【図４】
2020189259.tif 000006
【図５】
2020189259.tif 000007
【図６】
2020189259.tif 000008
【図７】
2020189259.tif 000009
【図８】
2020189259.tif 000010
【図９】
2020189259.tif 000011
【図１０】
2020189259.tif 000012
【図１１】
2020189259.tif 000013
【図１２】
2020189259.tif 000014
【図１３】
2020189259.tif 000015
【図１４】
2020189259.tif 000016